(57)【要約】【課題】商品陳列棚のワイヤー部分と取付孔のいずれにも取り付けることができる掛け具を提供する。【解決手段】  基部１１０と、当該基部１１０から前方へ延び、商品Ｘを吊り下げ可能なアーム部１２０とを備えた、商品陳列棚２００に取り付けられる掛け具１００であって、前記基部１１０の後面１１１には、前記商品陳列棚２００に取り付けるための取付部１５０が設けられており、当該取付部１５０は、上方取付片１３０と下方取付片１４０とから構成されており、当該上方取付片１３０と下方取付片１４０は、前記商品陳列棚２００のワイヤー部分２１０に係合する係合部（１３１、１４１）と、前記商品陳列棚２００の取付孔２２０に挿入される挿入部（１３４、１４４）と、前記取付孔２２０の裏面の縁部２２１に当接する当接部（１３２、１４２）と、を備えることを特徴とする。【選択図】図１
2019213594.tif 000002
【特許請求の範囲】
【請求項１】
基部と、当該基部から前方へ延び、商品を吊り下げ可能なアーム部とを備えた、商品陳列棚に取り付けられる掛け具であって、
前記基部の後面には、前記商品陳列棚に取り付けるための取付部が設けられており、
当該取付部は、上方取付片と下方取付片とから構成されており、
当該上方取付片と下方取付片は、
前記商品陳列棚のワイヤー部分に係合する係合部と、
前記商品陳列棚の取付孔に挿入される挿入部と、前記取付孔の裏面の縁部に当接する当接部と、を備えることを特徴とする掛け具。
【請求項２】
前記上方取付片の当接部は、前記取付孔の縁部から上方へ向けて延出していることを特徴とする請求項１に記載の掛け具。
【請求項３】
前記挿入部、前記当接部、及び前記係合部は、
前記基部の後面側から、前記挿入部、前記当接部、及び前記係合部の順番で配置されていることを特徴とする請求項１又は２に記載の掛け具。
【請求項４】
前記上方取付片の係合部と、前記下方取付片の係合部は、互いに向き合うように配置されていることを特徴とする請求項１から３のいずれかに記載の掛け具。 
【発明の詳細な説明】
【技術分野】
【０００１】
本願発明は、商品を商品陳列棚に吊り下げて陳列するために用いられる掛け具に関する。
【背景技術】
【０００２】
従来から、スーパーやコンビニ等の店舗で、商品を商品陳列棚に吊り下げて陳列するために、掛け具が利用されている。例えば、特許文献１に示す掛け具は、基部と、当該基部から前方へ延びるアーム部と、基部から後方に延びる係止部を備えたものである。そして、係止部を商品陳列棚の取付孔に係止させることで、掛け具を商品陳列棚に取り付けるというものである。
【０００３】
ただ、商品陳列棚には様々な種類があり、ワイヤーを格子状に組んだ形状のものも存在する。この形状の商品陳列棚には、取付孔が形成されていないので、引用文献１に示す掛け具は、商品陳列棚に取り付けることができないという問題があった。
【先行技術文献】
【特許文献】
【０００４】
【特許文献１】実願２００５−６２００号
【発明の開示】
【発明が解決しようとする課題】
【０００５】
そこで、本願発明は上記問題に鑑み、商品陳列棚のワイヤー部分と取付孔のいずれにも取り付けることができる掛け具を提供することを目的としている。
【課題を解決するための手段】
【０００６】
本願発明の掛け具は、基部と、当該基部から前方へ延び、商品を吊り下げ可能なアーム部とを備えた、商品陳列棚に取り付けられる掛け具であって、前記基部の後面には、前記商品陳列棚に取り付けるための取付部が設けられており、当該取付部は、上方取付片と下方取付片とから構成されており、当該上方取付片と下方取付片は、前記商品陳列棚のワイヤー部分に係合する係合部と、前記商品陳列棚の取付孔に挿入される挿入部と、前記取付孔の裏面の縁部に当接する当接部と、を備えることを特徴とする。
【０００７】
上記特徴によれば、商品陳列棚のワイヤー部分及び取付孔のどちらにも取り付けることができるため、非常に利便性が高い。さらに、アーム部には複数の商品が吊り下げられるので、商品の自重によって掛け具は、商品陳列棚の表側に引っ張られるが、当接部が取付孔の裏面の縁部に当接して、掛け具が表側に引き出されることを確実に防止している。
【０００８】
さらに、本願発明の掛け具は、前記上方取付片の当接部は、前記取付孔の縁部から上方へ向けて延出していることを特徴とする。
【０００９】
上記特徴によれば、アーム部に吊り下げられた商品の自重等によって、掛け具が商品陳列棚の表側に下方へ引っ張られても、上方取付片の延出した当接片が強固に取付孔の縁部に当接して、下方へ引っ張る力に耐えるため、掛け具が商品陳列棚の表側に引き出されて落下することをより確実に防止している。
【００１０】
さらに、本願発明の掛け具は、前記挿入部、前記当接部、及び前記係合部は、前記基部の後面側から、前記挿入部、前記当接部、及び前記係合部の順番で配置されていることを特徴とする。
【００１１】
上記特徴によれば、上方取付片及び下方取付片が取付孔に挿入されて取り付けられた際に、上方取付片の当接片及び係合部、並びに、下方取付片の当接部及び係合部が、取付孔の内部に完全に隠れ、取付孔から表側にはみ出ることはない。そのため、商品陳列棚の表側の陳列スペースを狭めることなく、また見た目もすっきりした印象を与える。
【００１２】
さらに、本願発明の掛け具は、前記上方取付片の係合部と、前記下方取付片の係合部は、互いに向き合うように配置されていることを特徴とする。
【００１３】
上記特徴によれば、上方取付片の係合部と下方取付片の係合部は、互いに向き合うように配置され、商品陳列棚のワイヤー部分に上下から挟み込むように係合することから、掛け具はワイヤー部分から不用意に外れることがないのである。
【発明の効果】
【００１４】
上記に記したように、本願発明の掛け具は、商品陳列棚のワイヤー部分と取付孔のいずれにも取り付けることができる。
【図面の簡単な説明】
【００１５】
【図１】本願発明の掛け具の全体斜視図である。
【図２】（ａ）は掛け具の平面図、（ｂ）は掛け具の側面図、（ｃ）は掛け具の背面図、（ｄ）は掛け具の正面図である。
【図３】商品陳列棚のワイヤー部分に掛け具が取り付けられた状態の正面図である。
【図４】（a）及び（ｂ）は、ワイヤー部分に掛け具を取り付ける様子を示すもので、図３におけるA―A断面図である。
【図５】商品陳列棚の取付孔に掛け具が取り付けられた状態の正面図である。
【図６】（a）及び（ｂ）は、取付孔に掛け具を取り付ける様子を示すもので、図５におけるB―B断面図である。
【符号の説明】
【００１６】
１００        掛け具
１１０        基部
１１１        後面
１２０        アーム部
１３０        上方取付片
１３１        係合部
１３２        当接部
１３４        挿入部
１４０        下方取付片
１４１        係合部
１４２        当接部
１４４        挿入部
１５０        取付部
Ｘ            商品
２００        商品陳列棚
２２１        縁部
【発明を実施するための形態】
【００１７】
以下に、本願発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本願発明は、図面における寸法比率に限定されるものではない。
【００１８】
まず、図１及び図２は、本願発明の掛け具１００を示しており、図１は、掛け具１００の全体斜視図、図２（ａ）は掛け具１００の平面図、図２（ｂ）は掛け具１００の側面図、図２（ｃ）は掛け具１００の背面図、図２（ｄ）は掛け具１００の正面図である。
【００１９】
まず、掛け具１００は、全体が合成樹脂で出来ており、板状の基部１１０と、当該基部１１０から前方へ延びるアーム部１２０とを備える。基部１１０の後面１１１には上方取付片１３０及び下方取付片１４０からなる取付部１５０が設けられている。
【００２０】
アーム部１２０は、商品を吊り下げて陳列する部分である。また、アーム部１２０は基部１１０から斜め上方へ延びており、吊り下げた商品が不用意に抜け落ちないようになっている。さらに、アーム部１２０の先端１２１は上方へ屈曲しており、吊り下げた商品が不用意に抜け落ちないようになっている。また、アーム部１２０の根元側（基部１１０側）には、商品の価格等を表示する表示板を差し込む差込溝１２２が形成されており、差込溝１２２の内側には、差し込まれた表示板が抜け落ちないように押圧する複数の突起１２３が形成されている。
【００２１】
次に、上方取付片１３０は、基部１１０の上端側に設けられており、フック形状の係合部１３１と、平坦な挿入部１３４と、当該挿入部１３４から立ち上がるように形成された平坦な当接部１３２とを備える。この係合部１３１は、後述するように商品陳列棚のワイヤー部分に引っ掛けるように係合する部分である。また、挿入部１３４は、後述するように、商品陳列棚の取付孔に挿通する部分である。当接部１３２は商品陳列棚の取付孔に挿入されて、当該取付孔の裏面の縁部に当接する部分である。上方取付片１３０全体は僅かに弾性変形可能に構成されており、取付孔やワイヤー部分に取り付けやすくなっている。また、上方取付片１３０の先端１３３の内面は、内側に膨らんだ湾曲面となっているので、ワイヤー部分に引っ掛けやすいと共に、ワイヤー部分から不要に抜け落ちないようになっている。
【００２２】
また、下方取付片１４０は、基部１１０の下端側に設けられており、略コ字状の溝形状の係合部１４１と、平坦な挿入部１４４と、当該挿入部１４４から立ち上がるように形成された段差状の当接部１４２とを備える。この係合部１４１の溝部分は、後述するように商品陳列棚のワイヤー部分に嵌合するように係合する部分である。また、挿入部１４４は、後述するように、商品陳列棚の取付孔に挿通する部分である。当接部１４２は、商品陳列棚の取付孔に挿入されて、当該取付孔の裏面の縁部に当接する部分である。下方取付片１４０全体は僅かに弾性変形可能に構成されており、取付孔やワイヤー部分に取り付けやすくなっている。また、下方取付片１４０の先端１４３の表面はなめらかに湾曲しており、ワイヤー部分に着脱し易くなっている。
【００２３】
なお、掛け具１００全体は合成樹脂から形成されているが、これに限定されることはなく、使用に耐えうるのであれば、任意の素材を用いて形成することが出来る。また、掛け具１００の上方取付片１３０及び下方取付片１４０の幅Ｌ１は、後述する商品陳列棚の取付孔の幅Ｌ２以下となっており（図５参照）、掛け具１００の取付部１５０を取付孔に確実に挿入できるようになっている。また、上下の挿入部１３４と挿入部１４４間の長さL５は、商品陳列棚２００の取付孔２２０の上下方向の長さL６と等しくなっている（図５参照）。また、掛け具１００の上方取付片１３０の係合部１３１と下方取付片１４０の係合部１４１との間の幅Ｌ３は、後述する商品陳列棚のワイヤー部分間の幅Ｌ４と等しくなっている（図４参照）。
【００２４】
では次に、本願発明の掛け具１００を、商品陳列棚２００のワイヤー部分２１０に取り付ける様子を図３及び図４に示す。図３は、商品陳列棚２００のワイヤー部分２１０に掛け具１００が取り付けられた状態の正面図、図４（a）及び（ｂ）は、ワイヤー部分２１０に掛け具１００を取り付ける様子を示すもので、図３におけるA―A断面図である。
【００２５】
図３に示すように、商品陳列棚２００は格子状に組まれたワイヤー部分２１０を備えており、当該ワイヤー部分２１０同士の間隔は幅L４で一定となっている。そして、隣接する上下のワイヤー部分２１０の間に跨がるように、複数の掛け具１００が固定されており、当該掛け具１００のアーム部１２０に商品Ｘが吊り下げられて陳列されている。
【００２６】
では図４を参照して、掛け具１００をワイヤー部分２１０に取り付ける様子を具体的に説明する。まず、図４（a）に示すように、作業者は掛け具１００の上方取付片１３０の係合部１３１を、上側のワイヤー部分２１０に引っ掛けるように係合させる。そして、その係合させた状態のまま、係合部１３１を中心に、掛け具１００を下側のワイヤー部分２１０に向けて回動させる。すると、下方取付片１４０の先端１４３は下側のワイヤー部分２１０に当接するが、下方取付片１４０は僅かに弾性変形可能であるから、下方取付片１４０は下方へ弾性変形して、図４（ｂ）に示すように、ワイヤー部分２１０は先端１４３を乗り越えて係合部１４１と係合する。
【００２７】
このように、掛け具１００の係合部１３１及び係合部１４１がワイヤー部分２１０に係合して、掛け具１００は商品陳列棚２００のワイヤー部分２１０に容易に取り付けられる。また、上方取付片１３０の係合部１３１と下方取付片１４０の係合部１４１は、互いに向き合うように配置され、ワイヤー部分２１０に上下から挟み込むように係合することから、掛け具１００はワイヤー部分２１０から不用意に外れることがないのである。また、係合部１３１の先端１３３は、係合部１３１に向けて僅かに膨らんでいるため、係合部１３１に係止したワイヤー部分２１０の下側に当接することができる。したがって、係合部１３１に係止したワイヤー部分２１０は、先端１３３によって下側から押さえられているので、係合部１３１から外れにくく、掛け具１００をワイヤー部分２１０に取り付ける作業をより行い易くする。
【００２８】
では次に、本願発明の掛け具１００を、商品陳列棚２００の取付孔２２０に取り付ける様子を図５及び図６に示す。図５は、商品陳列棚２００の取付孔２２０に掛け具１００が取り付けられた状態の正面図、図６（a）及び（ｂ）は、取付孔２２０に掛け具１００を取り付ける様子を示すもので、図５におけるB―B断面図である。
【００２９】
図５に示すように、商品陳列棚２００は、壁部２０１を貫通する複数の取付孔２２０を備える。そして、当該取付孔２２０に掛け具１００が固定されており、当該掛け具１００のアーム部１２０に商品Ｘが吊り下げられて陳列されている。
【００３０】
では、図６を参照して、掛け具１００を取付孔２２０に取り付ける様子を具体的に説明する。まず、図６（a）に示すように、作業者は掛け具１００を傾けて、商品陳列棚２００の壁部２０１の表側から、掛け具１００の上方取付片１３０を取付孔２２０に挿入する。そして、上方取付片１３０を商品陳列棚２００の壁部２０１の裏面側へ配置する。
【００３１】
その状態で次に、掛け具１００の下方取付片１４０を、取付孔２２０に押し込んで嵌め入れる。すると、図６（ｂ）に示すように、掛け具１００が取付孔２２０に取り付けられる。なお、掛け具１００の下方取付片１４０は、僅かに弾性変形するので、下方取付片１４０を取付孔２２０に無理なく押し込んで嵌め入れることができる。
【００３２】
また、図６（ｂ）に示すように、掛け具１００が取付孔２２０に取り付けられた状態では、上方取付片１３０の挿入部１３４と下方取付片１４０の挿入部１４４が、取付孔２２０内部に挿通した状態となっている。上方取付片１３０の挿入部１３４と下方取付片１４０の挿入部１４４の間の長さL５は、取付孔２２０の上下方向の長さL６と一致しているので、挿入部１３４と挿入部１４４が取付孔２２０に挿通されると、掛け具１００は取付孔２２０内に保持されて取り付けられた状態となる。さらに、上方取付片１３０の当接部１３２と下方取付片１４０の当接部１４２が、取付孔２２０の裏面の縁部２２１に当接しているので、掛け具１００が壁部２０１の表側に引き出されて落下することを防止できる。特に、アーム部１２０には複数の商品Ｘが吊り下げられるので、商品Ｘの自重によって掛け具１００は表側に引っ張られるが、当接部１３２と当接部１４２が、掛け具１００が表側に引き出されることを確実に防止している。
【００３３】
なお、上方取付片１３０の挿入部１３４と下方取付片１４０の挿入部１４４の長さL５は、取付孔２２０の長さL６と一致しているが、これに限定されず、上方取付片１３０の挿入部１３４と下方取付片１４０の挿入部１４４の長さL５は、取付孔２２０の長さL６より大きくてもよい。その場合は、挿入部１３４と挿入部１４４は、取付孔２２０に圧入されることになり、掛け具１００は取付孔２２０内に更に強固に固定されることになる。一方、上方取付片１３０の挿入部１３４と下方取付片１４０の挿入部１４４の長さL５は、取付孔２２０の長さL６より小さくてもよい。その場合は、挿入部１３４と挿入部１４４は、取付孔２２０内に隙間を空けて挿入されることになるが、掛け具１００が取付孔２２０内に保持されて取り付けられた状態を維持することはできる。特に、掛け具１００は、アーム部１２０の自重や、アーム部１２０に吊り下げられた商品Ｘの自重によって表側に引っ張られるが、当接部１３２と当接部１４２が取付孔２２０の縁部２２１にしっかりと当接しているので、掛け具１００が壁部２０１の表側に引き出されて落下することはない。そのため、挿入部１３４と挿入部１４４が取付孔２２０内に隙間を空けて挿入されたとしても、掛け具１００が取付孔２２０内に取り付けられた状態を十分に維持できるのである。
【００３４】
このように、本願発明の掛け具１００によれば、商品陳列棚２００のワイヤー部分２１０及び取付孔２２０のどちらにも取り付けることができるため、非常に利便性が高いのである。さらに、アーム部１２０には複数の商品Ｘが吊り下げられるので、商品Ｘの自重によって掛け具１００は、商品陳列棚２００の表側に引っ張られるが、当接部１３２と当接部１４２が取付孔２２０の裏面の縁部２２１に当接して、掛け具１００が表側に引き出されることを確実に防止している。
【００３５】
さらに、本願発明の掛け具１００によれば、図６（ｂ）に示すように、上方取付片１３０の当接部１３２が、取付孔２２０の縁部２２１から上方へ向けて延出しているので、アーム部１２０に吊り下げられた商品Ｘの自重等によって、掛け具１００が商品陳列棚２００の表側の下方へ引っ張られても、上方取付片１３０の延出した当接部１３２が強固に取付孔２２０の縁部２２１に当接して、下方へ引っ張る力に耐えるため、掛け具１００が壁部２０１の表側に引き出されて落下することをより確実に防止している。
【００３６】
さらに、本願発明の掛け具１００によれば、図６（ｂ）に示すように、基部１１０の後面１１１から外側へ向けて、言い換えると、基部１１０の後面１１１から離れる方向にむけて、挿入部１３４、当接部１３２、及び係合部１３１が順番に配置されている。同様に、基部１１０の後面１１１から外側へ向けて、挿入部１４４、当接部１４２、及び係合部１４１が順番に配置されている。そのため、図６（ｂ）に示すように、上方取付片１３０及び下方取付片１４０が取付孔２２０に挿入されて取り付けられた際に、上方取付片１３０の当接部１３２及び係合部１３１、並びに、下方取付片１４０の当接部１４２及び係合部１４１が、取付孔２２０の内部に完全に隠れ、取付孔２２０から表側にはみ出ることはない。そのため、商品陳列棚２００の表側の陳列スペースを狭めることなく、また見た目もすっきりした印象を与える。
【００３７】
なお、本願発明の掛け具は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2019213594.tif 000003
【図２】
2019213594.tif 000004
【図３】
2019213594.tif 000005
【図４】
2019213594.tif 000006
【図５】
2019213594.tif 000007
【図６】
2019213594.tif 000008